(57)【要約】【課題】      ＤＶＤなどの記録再生装置を内蔵するテレビジョン受像機において、メイン基板の配置を工夫することにより背の高い電子部品類の実装エリアを集約して有効に活用すると共に、メイン基板のサイズを小さくでき、且つ筐体内の空間を確保してＨＤＤ等別の記録再生装置を後付け可能とした電子複合機器を提供する。【解決手段】  記録媒体の交換をおこなうトレイの搬入及び搬出位置１３をディスプレイ側機器前面の中央となるように配置し、メイン基板１５を機器の中央Ａから片端側にオフセット配置することにより記録再生装置１４の周囲をコの字状に取り囲むように分散配置されていた背の高い電子部品類１８を略Ｌ字型に集約可能となり実装密度が向上し、且つ筐体内にＨＤＤ等別の記録再生装置を後付け可能とした電子複合機器。【選択図】      図１
2005278063.tif 000002
【特許請求の範囲】
【請求項１】
記録媒体の挿入及び排出が可能な記録再生装置と、ブラウン管を有するテレビジョン受像機を備えた電子複合機器において、前記記録媒体の交換をおこなうトレイの搬入及び搬出位置を該電子複合機器前面の幅方向の中央となるように前記記録再生装置を配置し、前記記録再生装置及びテレビジョン受像機の電源回路や映像信号処理等に関する電子回路基板を該電子複合機器の中央から横方向にオフセット配置したことを特徴とした記録再生装置を備えた電子複合機器。
【請求項２】
記録媒体の挿入及び排出が可能な記録再生装置と、ブラウン管を有するテレビジョン受像機を備えた電子複合機器において、前記記録媒体の交換をおこなうトレイの搬入及び搬出位置を該電子複合機器前面の幅方向の中央となるように前記記録再生装置を配置し、前記記録再生装置及びテレビジョン受像機の電源回路や映像信号処理等に関する電子回路基板を該電子複合機器の中央から横方向にオフセット配置し、前記電子回路基板のオフセットと反対側にスペースを形成したことを特徴とした記録再生装置を備えた電子複合機器。
【請求項３】
前記記録再生装置がＤＶＤなどの記録媒体の挿入及び排出が可能な記録再生装置であることを特徴とした請求項１又は２記載の記録再生装置を備えた電子複合機器。
【請求項４】
前記記録再生装置がＤＶＤなどの記録媒体の挿入及び排出が可能な記録再生装置であり、前記電子回路基板のオフセットと反対側に形成したスペースはＨＤＤを配置するための先行的スペースであることを特徴とした請求項２記載の記録再生装置を備えた電子複合機器。
【発明の詳細な説明】
【技術分野】
【０００１】
本発明は、記録再生装置を備えた電子複合機器に関し、特にＤＶＤなどの記録再生装置を備えた電子複合機器に関する。
【背景技術】
【０００２】
従来、ＤＶＤなどの記録再生装置を内蔵したブラウン管を有するテレビジョン受像機においては、図５の如く、テレビジョン受像機本体の筐体底面のほぼ中央部に機器の電源回路や映像出力などアナログ信号を処理するメインの電子回路基板１５が配置され、この電子回路基板と重なるように、同じく筐体底面のほぼ中央部にデジタル信号処理回路基板を内蔵し金属筐体で電磁シールドされたＤＶＤなどの記録再生装置１４が前記電源回路やアナログ信号回路を構成するメインの電子回路基板の上に配置されていた。このようにメインの電子回路基板の上にＤＶＤなどの記録再生装置が、またその直上部には陰極線管１１が配置されているため、記録再生装置が邪魔をしてメインの電子回路基板上に大型の電子部品を配置するために使用可能な有効面積が少なくなっていた。さらに、ＤＶＤなどの記録再生装置とテレビジョン受像機の陰極線管から発する熱で筐体内部の温度はかなり高温になることが知られており、例えばＤＶＤにおいては概ね９０℃から１００℃の高温に達することもあった。
【０００３】
これらブラウン管を有するテレビジョン受像機の回路基板は、メインとサブの２枚の電子回路基板から成り、一般的にはコストを低減させるために１枚の基板からその一部を切り抜いて電源回路や映像出力などアナログ信号を処理するメインの電子回路基板１５と陰極線管に信号を出力する小さなサブ電子回路基板（従来例としては図示なし）を構成するようにしている。その陰極線管に信号を出力する小さなサブ電子回路基板を切り抜く位置１５ａ（一点鎖線にて表示）は、ＤＶＤなどの記録再生装置を支持固定するためにシャーシ１７の一部を成形して設けた支持固定部１７ａを避けるために利用できるように、できるだけこの部位に陰極線管に信号を出力する小さなサブ電子回路基板を配置するような努力がされている。
【０００４】
また、テレビジョン受像機のメイン電子回路基板１５は、その下に配置されるシャーシ１７に予め取り付けられ、シャーシ１７は受像機本体の筐体内の床面の支持構造部にビスなどで支持固定される。続いて、ＤＶＤなどの記録再生装置は前記シャーシに設けられたＤＶＤなどの記録再生装置の支持固定部１７ａにビスなどで支持固定されることが多く、受像機本体の筐体内側の狭い空間内でのこれらの取り付けは作業効率の低下要因となっていた。
【０００５】
このような記録再生装置を内蔵したテレビジョン受像機に関する従来技術が特許文献１によって開示されている。
【０００６】
【特許文献１】特開平８−５６３１８号公報
【発明の開示】
【発明が解決しようとする課題】
【０００７】
これらの構成から、従来はテレビジョン受像機の電源回路や映像出力などアナログ信号を処理するメインの電子回路基板１５には、そのほぼ中央部にＤＶＤなどの記録再生装置１４と重なり、電子回路基板との高さ方向の隙間が狭いエリアしか存在しなくなる。さらにはこの種の電子回路基板では一般的にはコストを低減させる目的で１枚のメイン基板の一部を利用して陰極線管に信号を出力する小さなサブ電子回路基板を構成して切り抜いた孔部１５ａがあり、ここにも電子部品が実装できない。したがってＤＶＤなどの記録再生装置と重なるエリアは概ね１ｃｍ前後の隙間しかなく背の高い電子部品類は配置できず、ＩＣや横型実装タイプの小型抵抗器、低容量の電解コンデンサなど概ね０．７ｃｍ以下の背の低い限られた電子部品類（図示せず）のみが配置可能なものである。このため残されたエリアに電源回路を構成する電源トランスやチョークコイル、放熱板が取り付けられたパワートランジスタやサイリスタ、及びセメント抵抗器、さらに信号回路を構成するフライバックトランスやチューナなど背の高い電子部品類１８が配置される制約から、テレビジョン受像機本体のメインの電子回路基板は小型化できない状況にあった。また、ＤＶＤなどの記録再生装置の周囲を取り囲むようにコの字状の狭く長いエリアに、背の高い電子部品類１８を配置させるために、配置電子部品の結線配置にも無理が生じていた。
【０００８】
このため、メインの電子回路基板の実装密度を高めて基板面積の削減を図る方法として、ＤＶＤなどの記録再生装置と重なるエリア１５ｂにおいても比較的背の低い電子部品類であるリレーや容量が少し大きい電解コンデンサなども実装されることがあるが、メインの電子回路基板面からＤＶＤなどの記録再生装置までの隙間高さを高くすることとなり、結果としてテレビジョン受像機本体の総高さＨが高くなってしまう欠点があった。さらにテレビジョン受像機本体の筐体内部にＨＤＤ等別の記録再生装置を後付けできる十分なスペースも確保が困難だった。また、ＤＶＤなどの記録再生装置の周囲を取り囲むように比較的高温を発生する電子部品類、例えばパワートランジスタの放熱板、セメント抵抗器などが配置されているためＤＶＤなどの記録再生装置が更に昇温してしまうといった課題も有していた。
【０００９】
また、テレビジョン受像機のメインの電子回路基板１５は予めシャーシ１７に取り付けた状態で受像機本体の筐体内の床面にビスなどで支持固定される。続いて、ＤＶＤなどの記録再生装置は前記シャーシに設けられた記録再生装置の支持固定構造部１７ｂにビスなどで直接支持固定されることが多く、受像機本体の筐体内側の狭い空間内でのこれらの取り付けは作業効率の低下要因となっていた。
【００１０】
本発明は、上記課題に鑑みてなされたもので、記録媒体の挿入及び排出が可能なＤＶＤなどの記録再生装置と、ブラウン管を有するテレビジョン受像機とを備えた電子複合機器において、前記記録媒体の交換をおこなうトレイの搬入及び搬出位置を該電子複合機器前面の幅方向の中央となるように前記記録再生装置を配置し、前記記録再生装置及びテレビジョン受像機の電源回路や映像信号処理等に関する電子回路基板を該電子複合機器の中央から横方向にオフセット配置した記録再生装置を備えた電子複合機器を特徴とする。
【００１１】
それにより、基板のスペースを有効に活用して筐体内サイズを小さくすることができる電子複合機器を提供することを目的とする。また、ＤＶＤなどの記録再生装置及び前記メインの電子回路基板の取付け作業効率を高めた電子複合機器を提供することを目的とする。また、放熱性に優れた電子複合機器を提供することを目的とする。さらに、本発明は、メインの電子回路基板を機器の幅方向の中央から片端側にオフセット配置することにより確保したメインの電子回路基板と反対に位置する片端側スペースに、将来的にＨＤＤ等の別の記録再生装置を装備する電子機器を取り付けられるようにした先行的な電子複合機器を提供することを目的とする。
【課題を解決するための手段】
【００１２】
本発明の請求項１の記録再生装置を備えた電子複合機器は、ＤＶＤなどの記録媒体の挿入及び排出が可能な記録再生装置と、ブラウン管を有するテレビジョン受像機を備えた電子複合機器において、前記記録媒体の交換をおこなうトレイの搬入及び搬出位置を該電子複合機器前面の幅方向の中央となるように前記記録再生装置を配置し、前記記録再生装置及びテレビジョン受像機の電源回路や映像信号処理等に関する電子回路基板を該電子複合機器の中央から横方向にオフセット配置したことを特徴とする。
【００１３】
本発明の請求項２の記録再生装置を備えた電子複合機器は、記録媒体の挿入及び排出が可能な記録再生装置と、ブラウン管を有するテレビジョン受像機を備えた電子複合機器において、前記記録媒体の交換をおこなうトレイの搬入及び搬出位置を該電子複合機器前面の幅方向の中央となるように前記記録再生装置を配置し、前記記録再生装置及びテレビジョン受像機の電源回路や映像信号処理等に関する電子回路基板を該電子複合機器の中央から横方向にオフセット配置し、前記電子回路基板のオフセットと反対側にスペースを形成したことを特徴とする。
【００１４】
本発明の請求項３の記録再生装置を備えた電子複合機器は、前記記録再生装置がＤＶＤなどの記録媒体の挿入及び排出が可能な記録再生装置であることを特徴とする。
【００１５】
本発明の請求項４の記録再生装置を備えた電子複合機器は、前記記録再生装置がＤＶＤなどの記録媒体の挿入及び排出が可能な記録再生装置であり、前記電子回路基板のオフセットと反対側に形成したスペースはＨＤＤを配置するための先行的スペースであることを特徴とする。
【発明の効果】
【００１６】
本発明の請求項１の構成により、テレビジョン受像機の画像表示面と同一面でＤＶＤなど記録再生装置の記録媒体の交換をおこなうことができるなど操作性の低下も来たすことなく、筐体内部のメインの電子回路基板を図１のようにオフセット配置するためにメイン回路基板上に大型の電子部品を配置するためのスペースを確保することができ、複合型テレビジョン受像機の筐体内部の基板のスペースを有効活用してサイズを小さくすることができる。
【００１７】
例えば、従来例と同一面積のメインの電子回路基板においても、ＤＶＤなどの記録再生装置の下部となる重なり部の面積を減らせるとともに、従来はＤＶＤ装置の両脇に分散配置されて狭く長い実装エリアをＬ字状に広くまとめることが可能となることから、メインの電子回路基板上に実装する背の高い電子部品類の配置の自由度が大幅に向上する。これにより電子部品間の無理な配線が緩和され電子回路基板の実装密度が向上することにより基板面積は削減が可能となる。
【００１８】
またこれに付随して比較的高温を発生するパワートランジスタ及びサイリスタの放熱板、セメント抵抗器などもＬ字状の広いエリアに実装が可能となりこれらの電子部品からの放熱が改善できると共に高温に発熱するＤＶＤ装置への影響も緩和可能となる。こうしたことから敢えて比較的背の高いチョークコイルや電解コンデンサなどをＤＶＤ装置の下に実装する必要もなくなる。
【００１９】
また、陰極線管及び電源回路を構成する電子部品、ＤＶＤなどの記録再生装置から発生する熱の冷却効率を高めることができる。さらには、記録再生装置及び電子回路基板をシャーシに取り付けてユニット化して機器の筐体に取り付けることにより、これらを筐体に取り付ける作業を容易にすることもできる。
【００２０】
請求項２の構成により、筐体内部のメインの電子回路基板の配置を機器の幅方向の中央から片端側にオフセット配置とすることで、メインの電子回路基板の反対に位置する片端側にスペースを確保し、将来的にＨＤＤ等の別の記録再生装置を装備する電子機器を取り付けられるようにした先行的な電子複合機器を提供することが可能である。
【発明を実施するための最良の形態】
【００２１】
以下、添付図面を参酌しながら、本発明を実施するための最良の形態としての実施例を説明する。なお、実施例１においてはＤＶＤなどの記録再生装置を内蔵した２１インチから２７インチ型であるブラウン管を有するテレビジョン受像機において２４インチ型を例に大まかな機能ユニットの配置とその寸法例を説明する。このように、実施例を具合的な数値を用いて説明する理由は、本発明をその数値の範囲にのみ限定しようとする意図ではなく、スペースの確保にしても効果を具体的に定量的に評価可能とするためのものである。本実施例の場合、図３、及び図４に示す通りテレビジョン受像機の筐体表面にはその幅方向の中央上部側にＣＲＴディスプレイ１１が配置され、その下の同じく幅方向の中央となる位置にＤＶＤ装置の記録媒体の交換をおこなうトレイの搬入及び搬出部１３が配置されておりテレビジョン受像機の筐体１０内側にＤＶＤ装置１４が装着されている。さらにこのＣＲＴディスプレイの両外側にはスピーカ１２が２個装着されている。
【００２２】
これら各機能ユニットの大きさと配置については、図１、図２を参照しながら説明を加える。筐体１０は前方筐体１０ａと後方筐体１０ｂとにより構成されており、筐体１０内の床面には金属板で作られ四辺を折り曲げて剛性を確保したシャーシ１７が、幅は約３０ｃｍで奥行きが約３１ｃｍの大きさで、本発明の電子複合機器の中心線Ａから向かって右端側に５．５ｃｍオフセットして配置されており、該中心線から右方向に２０．５ｃｍ、左方向に９．５ｃｍに配分されている。このシャーシ１７には片面基板として製作されたメイン電子回路基板１５が載置されている。また図３のように、このメイン電子回路基板１５の上面である電子部品実装面から貫通して基板の裏側に突き出した電子部品類の複数の端子と金属製のシャーシ１７との電気的な短絡を避けるためにメイン基板とシャーシとの隙間Ｔ２は概ね１ｃｍ程度の隙間を得るように、シャーシ１７の数箇所に一部を切り起こして成形加工したメイン基板支持固定部１７ａが図１のように配置されている。さらに図３のようにメイン基板１５とＤＶＤ装置１４の下端面との隙間Ｔ１を概ね１ｃｍ程度の隙間を得るように、シャーシの一部を切り起こして形成したＤＶＤ装置支持固定部１７ｂが図１の位置に数箇所に設けられている。ここでは、ＤＶＤ装置支持固定部１７ｂの切り起こし高さは、メイン基板支持固定部１７ａの切り起こし高さよりも約１ｃｍ高く形成されている。
【００２３】
シャーシ１７に載置されたメインの電子回路基板１５は概ね幅が２５ｃｍで、奥行きが３３ｃｍの大きさであり、この基板１５の中ほどには、概ね幅が５.５ｃｍで奥行き７ｃｍの陰極線管を制御するためのサブ基板が切り抜かれ、孔部１５ａが形成されている。メイン基板１５の上部には受像機筐体１０の中央部にＤＶＤ装置１４が載置されており、ＤＶＤ装置１４は概ね幅が１６ｃｍ、奥行きが２０ｃｍ、厚さが６ｃｍである。
【００２４】
ここで筐体１０内面のメインの電子回路基板１５とＤＶＤ装置１４の位置関係を、機器の中心線Ａを基準に示すと、１６ｃｍ幅のＤＶＤ装置１４はこの中心線Ａに左右対称となるように配置されており、中心線Ａに対して左右とも８ｃｍである。一方、概ね２５ｃｍ幅のメイン基板１５は中心線Ａから右方向に７．５ｃｍ（メイン基板幅に対して約１／３、ＤＶＤ装置の幅の約１／２）オフセットされており、中心線Ａに対して、右に２０ｃｍ、左に５ｃｍの配分（約４：１）となる。これにより、メイン基板とＤＶＤ装置との重なりは右方向では８ｃｍ、左方向では５ｃｍ、合わせて概ね１３ｃｍが重なり幅となる。これにより、ＤＶＤ装置の右端側面からメイン基板の右端までは概ね２０ｃｍ−８ｃｍ（１２ｃｍ）の幅で露出エリアが確保される。また、奥行き方向に対してはシャーシの奥側端面とメイン基板の端面がほぼ一致して載置されており、この端面から１１ｃｍ手前側までがメイン基板の露出部、そこから概ね２０ｃｍがＤＶＤ装置との重なり部、さらに手前側はジャック端子を実装するためにメイン基板のみが約２ｃｍ突き出している。これをメイン基板の面積に置き換えると全体が概ね２５ｃｍ×３３ｃｍ（８２５ｃｍ２）の面積のうち、概ね５.５ｃｍ×７ｃｍ（３８.５ｃｍ２）の切り抜かれた孔部１５ａがあり電子部品の実装ができないため、その孔部１５ａの大部分がＤＶＤ装置１４との重なり部となるように配置する。概ね１６ｃｍ×２０ｃｍ（３２０ｃｍ２）のＤＶＤ装置１４との重なり部は概ね１３ｃｍ×２０ｃｍ（２６０ｃｍ２）だが、そのうち切り抜かれた孔部１５ａの大部分が占めるため、ＤＶＤ装置１４の重なり部や切り抜かれた孔部１５ａを除いた電子部品類の実装可能面積はＤＶＤ装置１４の右側から同装置の奥側にＬ字型に広く確保される。また、従来は、図５に示すとおり、ＤＶＤ装置１４を取り囲むように矩形のメイン基板が載置されていたが、本実施例のメイン基板１５の大きさをそのまま使用したとすると、概ね１６ｃｍ×２０ｃｍ（３２０ｃｍ２）のＤＶＤ装置１４との重なり部１５ｂに加えて、孔部１５ａ（３８.５ｃｍ２）が大型電子部品類の実装不可能な面積（３２０ｃｍ２＋３８.５ｃｍ２）として生ずることになる。しかし本実施例のオフセット配置によれば重なり部は、概ね１３ｃｍ×２０ｃｍ（２６０ｃｍ２）に減らせたこととなり、概ね９８.５ｃｍ２の面積が電子部品類の実装可能な面積として従来例より広く利用できたことになる。言い換えれば、本発明を適用することにより、従来と同じ電子部品類を実装するとしても、少なくとも概ね９８.５ｃｍ２（３２０ｃｍ２+３８．５ｃｍ２−２６０ｃｍ２）の面積だけ狭いメイン基板が達成できることとなる。
【００２５】
また、付随的な効果であるが、本実施例の筐体１０内の総幅は４８ｃｍを若干超えていることから、概ね幅が１３ｃｍで奥行きが３１ｃｍの余白部１９（図１に点線にて表示）が確保され、ここに３.５インチＨＤＤ等の別の記録再生装置の後付けを可能とした先行機種として市場に投入することも可能である。
【００２６】
以上のように、本発明の実施例ではＤＶＤなどの記録再生装置１４の下部となる重なり部１５ｂの面積を減らせるとともに、従来はＤＶＤ装置１４の両脇にコ字状に分散配置されて狭く長い実装エリアをＬ字状に広くまとめることが可能となることから、メイン電子回路基板１５上の実装する背の高い電子部品１８、１８、１８・・・の配置は自由度が向上する。これにより電子部品間の無理な配線が緩和されメイン電子回路基板１５の実装密度が向上することにより基板面積は削減が可能となるとともに、従来はＤＶＤ装置１４の周囲を取り囲むようにコの字状に実装されていた比較的高温を発生するパワートランジスタ１８ｆやサイリスタ１８ｇの放熱板１８ｈ、セメント抵抗器１８ｅなどもＬ字状の広いエリアに実装が可能となった。さらにＤＶＤなど内蔵する記録再生装置１４及び電子回路基板１５を予め金属製のシャーシ１７上に組み立てて略一体のユニットとして取り扱うことが可能な構造としたことにより、従来は後付けとしていたＤＶＤなど記録再生装置の取り付けを容易とした。
【００２７】
以上のように本実施例においては、メイン電子回路基板をオフセット配置に変更することによりメイン電子回路基板上のスペースを有効に活用して電子部品類の実装可能な面積を確保し、基板サイズを小さくし複合機器の小型化に寄与できるとともに、メイン電子回路基板とＤＶＤなど記録再生装置を予めシャーシに取り付けて一組のユニットとして取付けが可能となったことから組み立て作業の効率化にも寄与できる。
【００２８】
以上、本実施例を詳述したが、本発明は、前記実施例に限定されるものではなく、本発明の要旨の範囲内で種々の変形実施が可能である。例えば、テレビジョン受像機のＣＲＴディスプレイの大きさ、シャーシやメイン基板、及びＤＶＤ装置などの寸法やメイン基板のオフセット方向、さらには記録再生装置としてのＤＶＤやＨＤＤなどの装置類も前記実施例に限定されるものではなく、適宜選定すればよい。
【図面の簡単な説明】
【００２９】
【図１】本発明の一実施例を示すＤＶＤ内蔵型テレビジョン受像機内の配置を示す説明図である。
【図２】本発明の一実施例を示すメイン基板とＤＶＤとの相対位置を示す説明図である。
【図３】本発明の一実施例を示すＤＶＤ内臓型テレビジョン受像機の側断面の状態を示す説明図である。
【図４】本発明の一実施例を示すＤＶＤ内蔵型テレビジョン受像機の説明図である。
【図５】従来のＤＶＤ内蔵型テレビジョン受像機内の配置を示す説明図である。
【符号の説明】
【００３０】
１０  テレビジョン受像機の筐体
１３  記録媒体の交換を行うトレイの搬入及び搬出部
１４  ＤＶＤなどの記録再生装置
１５  メイン基板
１９  別の記録再生装置を後付けできるスペース
Ａ  電子機器の中心線
Ａ‘  メイン基板の中心線
【図１】
2005278063.tif 000003
【図２】
2005278063.tif 000004
【図３】
2005278063.tif 000005
【図４】
2005278063.tif 000006
【図５】
2005278063.tif 000007